(57)【要約】【課題】  塗料などの容器の縁に塗装用具を容易に保持することができ、塗装作業に際して必要な塗装用具を簡単に手に取ることができ、建築現場等における作業性を向上させることができる塗装用具保持具を提供する。【解決手段】  塗装用具保持具1は、容器の縁を挟み込むことにより固定される取り付け部10と、取り付け部10と一体に形成され、かつ縁より下の位置において塗装用具を保持する保持部14とを備え、取り付け部10は、容器の内側から容器の縁を挟み込む第1の支持部11と、第1の支持部11の上端から伸長して一体に形成され、かつ容器の外側から容器の縁を挟み込む第2の支持部13とを有する。【選択図】      図1
2020114589.tif 000002
【特許請求の範囲】
【請求項１】
容器の縁を挟み込むことにより固定される取り付け部と、前記取り付け部と一体に形成され、かつ前記縁より下の位置において塗装用具を保持する保持部とを備え、
前記取り付け部は、前記容器の内側から前記容器の縁を挟み込む第1の支持部と、前記第1の支持部の上端から伸長して一体に形成され、かつ前記容器の外側から前記容器の縁を挟み込む第2の支持部とを有する、塗装用具保持具。
【請求項２】
前記保持部は、前記第2の支持部に設けられる、請求項1に記載の塗装用具保持具。
【請求項３】
前記第2の支持部における前記容器の外側に接触する部分に磁石を備える、請求項1または2に記載の塗装用具保持具。
【請求項４】
前記保持部は、フック形状である、請求項1〜3のいずれか1項に記載の塗装用具保持具。
【発明の詳細な説明】
【技術分野】
【０００１】
本発明は、刷毛やローラーなどの塗装用具を容器の縁に保持するための器具に関するものである。
【背景技術】
【０００２】
建築現場等において建物の外壁や室内壁などの塗装作業を行う場合には、一般的に刷毛やローラーなどの塗装用具に塗料を含ませて壁に塗布することにより行う。塗装用具は、通常、塗料の入った容器とは別に保管されており、塗装作業を行うときに適当な塗装用具が手元になく、すぐに作業に取り掛かれないことがある。
【０００３】
特許文献1には、塗装用刷毛の柄に上下方向に摺動自在として挟着されるクリップ部材を有し、クリップ部材には係止片を突設し、さらに、クリップ部材の係止片が上方から係脱自在に引掛けられる被引掛部を有すると共に塗料を収容した容器の上端周縁部に取着される取付け部材を、備えている、刷毛保持装置が開示されている。
【０００４】
しかし、特許文献1に記載の刷毛保持装置は、塗料を収容した容器の内側に刷毛を保持するものであり、刷毛の柄が容器の縁よりも上に突出してしまう。また、この刷毛保持装置では、刷毛しか保持できず、その他の様々な塗装用具をも保持する構造になっていない。さらに、刷毛の柄のサイズに応じてクリップ部材のサイズも変更しなければならない。刷毛を保持したまま容器の蓋を閉めることもできない。
【先行技術文献】
【特許文献】
【０００５】
【特許文献１】特開2012-011336号公報
【発明の概要】
【発明が解決しようとする課題】
【０００６】
本発明の目的は、塗料などの容器の縁に塗装用具を容易に保持することができ、塗装作業に際して必要な塗装用具を簡単に手に取ることができ、建築現場等における作業性を向上させることができる塗装用具保持具を提供することである。
【課題を解決するための手段】
【０００７】
本発明は、容器の縁を挟み込むことにより固定される取り付け部と、取り付け部と一体に形成され、かつ縁より下の位置において塗装用具を保持する保持部とを備え、取り付け部は、容器の内側から容器の縁を挟み込む第1の支持部と、第1の支持部の上端から伸長して一体に形成され、かつ容器の外側から容器の縁を挟み込む第2の支持部とを有する塗装用具保持具を提供する。
【０００８】
また、本発明は、保持部が、第2の支持部に設けられる、上記塗装用具保持具を提供する。
【０００９】
また、本発明は、第2の支持部における容器の外側に接触する部分に磁石を備える、上記塗装用具保持具を提供する。
【００１０】
また、本発明は、保持部がフック形状である、上記塗装用具保持具を提供する。
【発明の効果】
【００１１】
本発明の保持具は、塗料などの塗装の際に一斗缶などの容器の縁に簡便に取り付けることができる。また、本発明の保持具を利用することにより、塗装用具を一斗缶などの容器の縁に容易に保持することができる。したがって、塗装作業に際して必要な塗装用具を簡単に手に取ることができ、建築現場等における作業性を向上させることができる
【図面の簡単な説明】
【００１２】
【図１】本発明の一態様における塗装用具保持具1を正面または裏面から見た図。
【図２】本発明の一態様における塗装用具保持具1の断面図。
【図３】本発明の一態様における塗装用具保持具1の使用例を示す正面図。
【図４】本発明の一態様における塗装用具保持具1の使用例を示す断面図
【図５】本発明の一態様における塗装用具保持具1を製造する方法を説明する図。
【図６】本発明の一実施例における塗装用具保持具1の使用例を示す図。
【発明を実施するための形態】
【００１３】
本発明は、塗装用具を容器に保持するための塗装用具保持具を提供する。本発明において保持される塗装用具は、塗装を行う際に塗料を壁等の表面に塗布するために用いる器具であり、たとえば刷毛、ローラーおよびヘラ等が含まれる。本発明の塗装用具保持具を取り付ける容器は、塗装作業の際に塗料を入れる容器であることができ、たとえば角型および円柱型などの任意の容器を用いることができる。容器には、たとえば金属製の角缶および丸缶などを用いることができる。特に、塗装の際に必要な塗料を一斗缶入れて混合して使用することが多いため、容器として一斗缶を使用することができる。
【００１４】
本発明の一態様について、図1〜図5を参照して以下に説明する。
【００１５】
図1に示すように、本発明の一態様における塗装用具保持具1は、取り付け部10と、保持部14とを備える。取り付け部10は、塗装用具保持具1を容器の開口部の縁に固定させるための部材であり、容器の開口部の縁を上から挟み込むことにより容器の縁に固定される。保持部14は、取り付け部10と一体に形成され、容器の縁より下の位置において塗装用具を保持する部材である。
【００１６】
取り付け部10は、図2に示すように、第1の支持部11と第2の支持部13とを有する。第1の支持部11は、容器の内側から容器の縁を挟み込む部材であり、第2の支持部13は、容器の外側から容器の縁を挟み込む部材である。第1の支持部11と第2の支持部13とは、第1の支持部11の上端から伸長して容器の縁の上端部を覆う伸長部12によって接続され、一体に形成される。
【００１７】
本態様では、第1の支持部11および第2の支持部13は、それぞれ伸長部12と略直角に形成されることにより、略平行に向かい合っている。なお、第1の支持部11および第2の支持部13の伸長部12に対する角度ならびに伸長部12の幅は、取り付ける容器の縁の形状に合わせて適宜設定することができる。
【００１８】
保持部14は、図2に示すように、第2の支持部13と一体に形成された、フック形状の部材である。保持部14は、フック形状であることにより、塗装用具を簡単に引っ掛けることができる。保持部14の先端は、保護キャップ15によって保護される。
【００１９】
塗装用具保持具1は、第2の支持部13における容器の外側に接触する部分に磁石16を備える。磁石16を備えることにより、容器が磁性体である場合には、塗装用具保持具1を容器にしっかりと固定することができる。
【００２０】
図3および図4は、塗装用具保持具1の使用例を示す図である。図3および図4では、塗装用具保持具1の保持部14に、塗装用具として刷毛20が保持されている。ここでは刷毛20は、柄に穴が形成されており、この穴を保持部14に通すことによって、容器の縁に取り付けられた塗装用具保持具1に保持される。これにより、刷毛20は、容器の縁の外側に保持され、塗装作業の際に容易に手に取ることができる。
【００２１】
塗装用具保持具1は、保持部14がフック形状であるため、このような保持部14に掛けることができる器具であればどのようなものでも保持することができる。たとえば、柄などの持ち手に穴が形成された塗装用具に限らず、保持部14に引っ掛けることが可能な紐およびリング等が設けられた塗装用具をも容易に保持することができる。
【００２２】
本態様の塗装用具保持具1を製造する方法について、図5を参照して説明する。図5に示すように、第1の支持部11、伸長部12、第2の支持部13および保持部14は、一枚の板状に成形した後、折り曲げることによって各部分を形成してもよい。また、塗装用具保持具1は、第1の支持部11、伸長部12、第2の支持部13および保持部14をそれぞれ別々の部品として成形した後に、接着および溶接等により接続してもよい。
【００２３】
保持部14は、第2の支持部13の下端と接続された細長い形状であり、折り曲げることによりフック形状に形成してもよい。保持部14は、第2の支持部13との接続部分から先端に向かって細くなるテーパー形状に形成してもよい。
【００２４】
塗装用具保持具1の素材には、たとえば金属および合成樹脂などを用いることができ、全ての部分に同一の素材を用いてもよいし、異なる素材を組み合わせてもよい。
【００２５】
上記態様では、保持部14がフック形状である場合について説明したが、保持部は、塗装用具を保持することができる形状であればいかなる形状であってもよい。また、上記態様では、保持部14の先端が保護キャップ15で保護される態様について説明したが、保持部の先端は保護キャップ以外の部品によって保護されてもよいし、他の部品によって保護されていなくてもよい。
【００２６】
本発明の塗装用具保持具は、シンプルな構造のため、1つの容器に複数個取り付けることが容易である。したがって、1つの塗料用容器に複数種類の塗装用具を同時に保持することができ、塗装作業の効率をさらに向上させることができる。
【実施例】
【００２７】
図1〜図5に示す塗装用具保持具1を作製する。図１は、本発明の塗装用具保持具1を正面または裏面から見た図であり、図２は、本発明の塗装用具保持具1の断面図である。塗装用具保持具1は、第1の支持部11、伸長部12、第2の支持部13、保持部14および保護キャップ15が一体として製造され、第2の支持部13における容器の外側と接触する面に磁石16が取り付けられる。
【００２８】
図5に示すように、第1の支持部11、伸長部12および第2の支持部13となる部分は、40mm×40mmの正方形の板上に成形する。保持部14は、第2の支持部13との接続部分の幅が5mm、先端の幅が3mm、長さが60mmの細長いテーパー形状に成形し、第2の支持部13の下端の中央に接続させる。この成形体を折り線16において折り曲げて各部分を形成させる。第1の支持部11および伸長部12の幅はそれぞれ10mm、第2の支持部13の幅は20mmである。保持部14は、折り曲げてフック形状とする。
【００２９】
その後、第2の支持部13における容器の外側と接触する面に磁石16を接着させる。また、保持部14の先端に保護キャップ15を取り付ける。
【００３０】
作製した塗装用具保持具1は、図6に示すように、一斗缶21の縁に安定的に取り付けることができる。また、一斗缶21に取り付けた状態で、保持部14に刷毛20を容易に保持させることができた。
【産業上の利用可能性】
【００３１】
本発明の塗装用具保持具は、建築現場等の塗装作業を簡便にするための塗装用具として好適に利用できる。
【符号の説明】
【００３２】
1・・・塗装用具保持具
10・・・取り付け部
11・・・第1の支持部
12・・・伸長部
13・・・第2の支持部
14・・・保持部
15・・・保護キャップ
16・・・磁石
20・・・刷毛
21・・・一斗缶
【図１】
2020114589.tif 000003
【図２】
2020114589.tif 000004
【図３】
2020114589.tif 000005
【図４】
2020114589.tif 000006
【図５】
2020114589.tif 000007
【図６】
2020114589.tif 000008